(57)【要約】【課題】調整式流体駆動照明装置を提供する。【解決手段】ノズル、前記ノズルに接続される少なくとも一つの発光素子、  前記ノズルに接続されるつかみ部、及び前記ノズルと前記つかみ部との間に移動され、且つ前記発光素子に電気的に接続されたタービン発電機を含み  前記タービン発電機は、少なくとも一つの回転ブレードを有し、前記タービン発電機が、前記ノズルに移動した時、前記回転ブレードは、前記ノズルに流れる流体の衝撃によって回転され、前記タービン発電機が発電することにより前記発光素子の発光を駆動し、前記タービン発電機が、前記つかみ部に移動した時、前記回転ブレードは、前記ノズルに流れる前記流体の衝撃を受けず、発電を停止させる調整式流体駆動照明装置。【選択図】  図１Ｂ
2010012221.tif 000002
【特許請求の範囲】
【請求項１】
ノズル、
前記ノズルに接続される少なくとも一つの発光素子、
前記ノズルに接続されるつかみ部、及び
前記ノズルと前記つかみ部との間に移動され、且つ前記発光素子に電気的に接続されたタービン発電機を含み、
前記タービン発電機は、少なくとも一つの回転ブレードを有し、
前記タービン発電機が、前記ノズルに移動した時、前記回転ブレードは、前記ノズルに流れる流体の衝撃によって回転され、前記タービン発電機が発電することにより前記発光素子の発光を駆動し、
前記タービン発電機が、前記つかみ部に移動した時、前記回転ブレードは、前記ノズルに流れる前記流体の衝撃を受けず、発電を停止させる調整式流体駆動照明装置。
【請求項２】
回転及び移動可能な状態で前記つかみ部に接続されるリボルバーを更に含み、
前記リボルバーは、前記タービン発電機に隣接し、前記タービン発電機が前記ノズルと前記つかみ部との間を移動するための駆動に用いられる請求項１に記載の調整式流体駆動照明装置。
【請求項３】
前記つかみ部は、内ネジ部を有し、前記リボルバーは、外ネジ部を有し、前記外ネジ部は、前記内ネジ部を係合する請求項２に記載の調整式流体駆動照明装置。
【請求項４】
前記リボルバーに隣接され、かつ、前記タービン発電機に接続されるプッシュロッドを更に含む請求項２または３に記載の調整式流体駆動照明装置。
【請求項５】
前記タービン発電機と前記つかみ部との間に接続される少なくとも一つの弾性素子を更に含み、
前記弾性素子は、前記タービン発電機に弾力回復を提供するのに用いられる請求項１〜４のいずれかに記載の調整式流体駆動照明装置。
【請求項６】
回転可能な状態で前記つかみ部に接続され、且つ前記タービン発電機に接続される引き金を更に含み、
前記引き金は、前記タービン発電機が前記ノズルと前記つかみ部との間を移動するための駆動に用いられる請求項１〜５のいずれかに記載の調整式流体駆動照明装置。
【請求項７】
前記引き金と前記つかみ部との間に接続されるねじりバネを更に含み、
前記ねじりバネは、前記引き金に弾力回復を提供するのに用いられる請求項６に記載の調整式流体駆動照明装置。
【請求項８】
支持ロッド、固定チューブ、自転軸、バネ、及びボタンを更に含み、
前記つかみ部は、仕切り板を有し、
前記タービン発電機は、前記仕切り板の上に設置され、
前記支持ロッドは、前記仕切り板に穿通して設置され、且つ前記タービン発電機に接続され、
前記固定チューブは、前記仕切り板の下に設置され、
前記自転軸は、移動の方式で前記固定チューブに設置され、且つ前記支持ロッドに隣接され、
前記バネは、前記支持ロッドの上を穿通して設置され、且つ前記仕切り板と前記自転軸との間に接続され、及び
前記ボタンは、前記自転軸に接続され、前記タービン発電機が前記ノズルと前記つかみ部との間を移動するための駆動に用いられる請求項１〜７のいずれかに記載の調整式流体駆動照明装置。
【請求項９】
前記回転ブレードは、径方向、衝撃式、または軸流式ブレードである請求項１〜８のいずれかに記載の調整式流体駆動照明装置。
【請求項１０】
少なくとも一つのプレートを有する第一チューブ、
回転可能な状態で前記第一チューブを接続する第二チューブ、
前記第二チューブに接続される少なくとも一つの発光素子、及び
前記第二チューブに設置され、且つ前記発光素子に電気的に接続されたタービン発電機を含み、
前記タービン発電機は、前記プレートに隣接され、且つ前記プレートより選択的に遮蔽された少なくとも一つの回転ブレードを有し、
前記第一チューブと前記第二チューブが、相対して回転し、前記回転ブレードが前記プレートの外に暴露された時、前記回転ブレードは、前記第一チューブと前記第二チューブに流れる流体衝撃によって回転され、前記タービン発電機が発電することにより前記発光素子の発光を駆動し、
前記第一チューブと前記第二チューブが相対して回転し、前記回転ブレードが前記プレートより遮蔽された時、前記回転ブレードは、前記第一チューブと前記第二チューブに流れる流体衝撃を受けず、発電を停止させる調整式流体駆動照明装置。
【請求項１１】
前記第一チューブと前記第二チューブとの間に設置される密封リングを更に含む請求項１０に記載の調整式流体駆動照明装置。
【請求項１２】
前記第一チューブの前記流体の流動方向の中心軸と前記第二チューブの前記流体の流動方向の中心軸は、重なり合う請求項１０または１１に記載の調整式流体駆動照明装置。
【請求項１３】
前記回転ブレードは、軸流式ブレードである請求項１０〜１２のいずれかに記載の調整式流体駆動照明装置。
【発明の詳細な説明】
【技術分野】
【０００１】
本発明は、調整式流体駆動照明装置に関し、特に、操作の柔軟性及び効率を増進できる調整式流体駆動照明装置に関するものである。
【背景技術】
【０００２】
一般的に、消防員にとって、火事現場において消火時で最重要な二つの安全要素が給水と照明である。従来においては、消防員は、必ず手に消火ノズルを持ち、水を得る以外、大半は、ヘルメットの懐中電灯を用いて、火事現場に照明を提供している。しかしながら、消防員が消火時に着る装備は通常２０ｋｇ以上であることから、ヘルメットに重い懐中電灯をつけると余分な負担となり、消火作業の進行に不利である。もう一つは、消火ホースが強大な水圧であることから、消防員が効果的に制御して、消火を行うには、必ず消火ノズルを両手でしっかり握らなければならない。よって、消防員が重い懐中電灯を握り、火事現場に照明と周辺環境の安全照明を提供する余分な手や体力がない。
【０００３】
上述の問題を解決するために、従来技術（特許文献１）は、タービン発電機が消防ノズルの流体通路内にはめ込み固定されてなる流体駆動照明装置を掲示している。この従来の流体駆動照明装置は、消防ノズルの流体通路に流れる水流を用いて、タービン発電機のブレードを回転させ、電力を発生させ、照明を提供する。しかしながら、タービン発電機を消火ノズルの流体通路内に固定するやり方は、何時使用しても水圧、または流量に対してある程度の損失を引起こすため、複雑で予測できない火事現場で使用するのは、不利である。
【０００４】
また、従来技術（特許文献２、特許文献３、特許文献４、特許文献５）には、各種の従来の流体駆動照明装置を掲示している。同様に、構造上の制限があることから、これらの従来の流体駆動照明装置は、複雑で予測できない火事現場で使用するのは、不利である。
【０００５】
【特許文献１】台湾特許第Ｉ２６９８５０号
【特許文献２】日本特開第２００５−２７８９０２号
【特許文献３】米国特許第６,０３６,３３３号
【特許文献４】米国特許第６,１１６,５２０号
【特許文献５】韓国特許第１００３０８７３２号
【発明の開示】
【発明が解決しようとする課題】
【０００６】
本発明の目的は、調整式流体駆動照明装置を提供する。
【課題を解決するための手段】
【０００７】
上述の問題を解決するため、本発明は、ノズル、前記ノズルに接続される少なくとも一つの発光素子、前記ノズルに接続されるつかみ部、及び前記ノズルと前記つかみ部との間に移動され、且つ前記発光素子に電気的に接続されたタービン発電機を含み、前記タービン発電機は、少なくとも一つの回転ブレードを有し、前記タービン発電機が、前記ノズルに移動した時、前記回転ブレードは、前記ノズルに流れる流体の衝撃によって回転され、前記タービン発電機が発電することにより前記発光素子の発光を駆動し、前記タービン発電機が、前記つかみ部に移動した時、前記回転ブレードは、前記ノズルに流れる前記流体の衝撃を受けず、発電を停止させる。
【０００８】
同時に、本発明に基づいた調整式流体駆動照明装置は、リボルバーを更に含み、回転及び移動の方式で前記つかみ部に接続され、且つ前記タービン発電機に隣接し、前記タービン発電機が前記ノズルと前記つかみ部との間を移動するための駆動に用いられる。
【０００９】
また、本発明の前記つかみ部は、内ネジ部を有し、前記リボルバーは、外ネジ部を有し、前記外ネジ部は、前記内ネジ部を係合する。
【００１０】
また、本発明は、プッシュロッドを更に含み、前記リボルバーに隣接され、かつ前記タービン発電機に接続される。
【００１１】
また、本発明は、少なくとも一つの弾性素子を更に含み、前記タービン発電機と前記つかみ部との間に接続され、前記タービン発電機に弾力回復を提供するのに用いられる。
【００１２】
また、本発明は、引き金を更に含み、回転の方式で前記つかみ部を接続し、且つ前記タービン発電機を接続し、前記タービン発電機が前記ノズルと前記つかみ部との間を移動するための駆動に用いられる。
【００１３】
また、本発明は、ねじりバネを更に含み、前記引き金と前記つかみ部との間を接続し、前記引き金に弾力回復を提供するのに用いられる。
【００１４】
また、本発明は、支持ロッド、固定チューブ、自転軸、バネ、及びボタンを更に含み、前記つかみ部は、仕切り板を有し、前記タービン発電機は、前記仕切り板の上に設置され、前記支持ロッドは、前記仕切り板に穿通して設置され、且つ前記タービン発電機に接続され、前記固定チューブは、前記仕切り板の下に設置され、前記自転軸は、移動の方式で前記固定チューブに設置され、且つ前記支持ロッドに隣接され、前記バネは、前記支持ロッドの上を穿通して設置され、且つ前記仕切り板と前記自転軸との間に接続され、及び前記ボタンは、前記自転軸に接続され、前記タービン発電機が前記ノズルと前記つかみ部との間を移動するための駆動に用いられる。
【００１５】
また、本発明の前記回転ブレードは、径方向ブレードである。
【発明の効果】
【００１６】
本発明の調整式流体駆動照明装置は、操作員が予測できない火事現場で思うままに適当な照明と消火の流体源を取得して、個人と仲間の安全を確保し、且つ消火の効率を上げることができる。同時に、火事現場の被災者が光源を辿り、火事現場から脱出することができる。
【発明を実施するための最良の形態】
【００１７】
本発明についての目的、特徴、長所が一層明確に理解されるよう、以下に実施形態を例示し、図面を参照にしながら、詳細に説明する。
【実施例１】
【００１８】
図１Ａと図１Ｂを参照下さい。本実施例の調整式流体駆動照明装置１００は、消火に応用することができ、主に、ノズル１１０、複数の発光素子１２０、つかみ部１３０、タービン発電機（タービン発電機組）１４０、リボルバー１５０、プッシュロッド１６０及び複数の弾性素子１７０を含む。
【００１９】
ノズル１１０の片端部１１１は、流体供給パイプ（図に図示しない）に接続することができる。本実施例のノズル１１０は、消火ノズルである。
【００２０】
複数の発光素子１２０は、ノズル１１０に接続されている。詳しく言えば、複数の発光素子１２０は、ノズル１１０のもう一つの端部１１２に設置することができる。また、本実施例の発光素子１２０は、高輝度のＬＥＤ、または電球などである。
【００２１】
つかみ部１３０は、ノズル１１０に接続されている。本実施例のつかみ部１３０は、ノズル１１０の端部１１１と端部１１２との間に位置する。また、つかみ部１３０は、内ネジ部１３１を有する。
【００２２】
タービン発電機１４０は、複数の発光素子１２０に電気的に接続されている。且つ、タービン発電機１４０は、複数の回転ブレード１４１を有する。本実施例の複数の回転ブレード１４１は、径方向ブレード、衝撃式ブレード、または軸流式ブレードである。
【００２３】
リボルバー１５０は、同時に、回転及び移動の方式でつかみ部１３０に接続されており、且つリボルバー１５０は、プッシュロッド１６０によって、タービン発電機１４０に隣接している。即ち、プッシュロッド１６０は、リボルバー１５０に隣接し、タービン発電機１４０に接続されている。また、特別なのは、リボルバー１５０は、外ネジ部１５１を有し、及び外ネジ部１５１は、つかみ部１３０の内ネジ部１３１を係合する。上述のように、リボルバー１５０を回転することによって、リボルバー１５０がつかみ部１３０内を（上下）移動することができ、これにより、タービン発電機１４０を駆動し、タービン発電機１４０がノズル１１０とつかみ部１３０との間を移動する。
【００２４】
複数の弾性素子１７０は、タービン発電機１４０とつかみ部１３０の内壁との間にそれぞれ接続されている。本実施例の弾性素子１７０は、バネである。
【００２５】
続いては、調整式流体駆動照明装置１００で消火の作動方式を説明する。
【００２６】
まず、操作員、または消防員は、手にノズル１１０を握り、且つノズル１１０の流体出口（即ち、端部１１２）を火源、または火事現場に向け、ノズル１１０に流れる流体（例えば、水）を火源、または火事現場に向け噴出させる。
【００２７】
火事現場が暗くて照明が必要な時、操作員は、片手でリボルバー１５０を回転し、リボルバー１５０をつかみ部１３０内において（上へ）移動させることができる。そして、これにより、図１Ｂに示すように、タービン発電機１４０が駆動され、タービン発電機１４０がノズル１１０に（上へ）移動する。この時、タービン発電機１４０の回転ブレード１４１は、ノズル１１０内部に流れる流体（水）の衝撃を受け、回転され、タービン発電機１４０を発電させ、電力を発生させる。同時に、タービン発電機１４０は、発電により発生された電力をノズル１１０の流体出口（端部１１２）上に位置する複数の発光素子１２０に伝送して、複数の発光素子１２０を発光させる。消防員は、消火と同時に火事現場の照明を兼ねることができ、消火の安全性と便利性を高めることができる。
【００２８】
一方、火事現場の光線が充分の時、または更に高い流体圧力、または流量で消火操作が必要な時、操作員は、リボルバー１５０を片手で逆方向に回転し、リボルバー１５０をつかみ部１３０内において（下へ）移動させる。そして、これにより、図１Ａに示すように、タービン発電機１４０が駆動され、タービン発電機１４０がつかみ部１３０に（下へ）移動する。この時、タービン発電機１４０の回転ブレード１４１は、ノズル１１０内部に流れる流体（水）の衝撃を受けることがないため、回転ブレード１４１の回転が停止される。よって、タービン発電機１４０は、発電を停止する。ノズル１１０内部に流れる流体圧力は、タービン発電機１４０の妨害によって減らされることはなく、ノズル１１０の流体出口（端部１１２）から噴出する流体圧力、または流量を高め、さらに消火の効率を高めることができる。
【００２９】
また、タービン発電機１４０をノズル１１０内（上へ）に移動する過程で、タービン発電機１４０とつかみ部１３０の内壁間に接続される弾性素子１７０は、引伸ばされて、弾性張力を有する。リボルバー１５０がつかみ部１３０内に（下へ）移動する過程で、弾性素子１７０に提供される回復弾力は、タービン発電機１４０がリボルバー１５０とともに（下へ）移動するのを確保する。
【実施例２】
【００３０】
図２Ａと図２Ｂを参照下さい。本実施例の調整式流体駆動照明装置２００は、消火に応用することができ、主に、ノズル２１０、複数の発光素子２２０、つかみ部２３０、タービン発電機２４０、引き金２５０、ねじりバネ２６０を含む。
【００３１】
ノズル２１０の片端部２１１は、流体供給パイプ（図に図示しない）に接続することができる。同様に、ノズル２１０は、消火ノズルである。
【００３２】
複数の発光素子２２０は、ノズル２１０に接続されている。詳しく言えば、複数の発光素子２２０は、ノズル２１０のもう一つの端部２１２に設置することができる。また、同様に、発光素子２２０は、高輝度のＬＥＤ、または電球などである。
【００３３】
つかみ部２３０は、ノズル２１０に接続されている。本実施例のつかみ部２３０は、ノズル２１０の端部２１１と端部２１２との間に位置する。
【００３４】
タービン発電機２４０は、複数の発光素子２２０に電気的に接続されている。且つ、タービン発電機２４０は、複数の回転ブレード２４１を有する。同様に、複数の回転ブレード２４１は、径方向ブレード、衝撃式ブレード、または軸流式ブレードである。
【００３５】
引き金２５０は、回転の方式でつかみ部２３０に接続され、且つ、引き金２５０は、タービン発電機２４０に接続されている。上述のように、引き金２５０が回転することによって、タービン発電機２４０をノズル２１０とつかみ部２３０との間を移動させることができる。
【００３６】
ねじりバネ２６０は、引き金２５０とつかみ部２３０との間に接続され、引き金２５０に弾力回復を提供するのに用いられる。
【００３７】
続いては、調整式流体駆動照明装置２００で消火の作動方式を説明する。
【００３８】
まず、操作員、または消防員は、手にノズル２１０を握り、且つノズル２１０の流体出口（即ち、端部２１２）を火源、または火事現場に向け、ノズル２１０に流れる流体（例えば、水）を火源、または火事現場に向け噴出させる。
【００３９】
火事現場が暗くて照明が必要な時、操作員は、片手で引き金２５０を押して回転させ、引き金２５０をつかみ部２３０内において（時計回り）回転させることができる。そして、これにより、図２Ｂに示すように、タービン発電機１４０が駆動され、タービン発電機１４０がノズル２１０に（上へ）移動する。この時、タービン発電機２４０の回転ブレード２４１は、ノズル２１０内部に流れる流体（水）の衝撃を受け、回転され、タービン発電機２４０が発電させ、電力を発生させる。同時に、タービン発電機２４０は、発電により発生された電力をノズル２１０の流体出口（端部２１２）上に位置する複数の発光素子２２０に伝送して、複数の発光素子２２０を発光させる。消防員は、消火と同時に火事現場の照明を兼ねることができ、消火の安全性と便利性を高めることができる。また、引き金２５０の回転によって、タービン発電機２４０をノズル２１０に（上へ）移動する過程で、ねじりバネ２６０は、圧縮されて、弾性張力を有する。
【００４０】
一方、火事現場の光線が充分の時、または更に高い流体圧力、または流量で消火操作が必要な時、操作員は、引き金２５０を放出することができ、引き金２５０は、ねじりバネ２６０に提供される弾力回復によって、つかみ部２３０内において（反時計回り）回転され、そして、これにより、図２Ａに示すように、タービン発電機２４０が駆動され、タービン発電機２４０がつかみ部２３０に（下へ）移動する。この時、タービン発電機２４０の回転ブレード２４１は、ノズル２１０内部に流れる流体（水）の衝撃を受けることがないため、回転ブレード２４１の回転が停止される。よって、タービン発電機２４０は、発電を停止する。ノズル２１０内部に流れる流体圧力は、タービン発電機２４０の妨害によって減らされることはなく、ノズル２１０の流体出口（端部２１２）から噴出する流体圧力、または流量を高め、さらに消火の効率を高めることができる。
【００４１】
また、状況次第で、ノズル２１０内部に流れる流体圧力が充分に強い時に、ねじりバネ２６０の弾性張力を克服できた時、操作員は、引き金２５０を持続的に押さずにタービン発電機２４０をノズル２１０内に固定させることができる。よって、消火の便利性をより高めることができる。ノズル２１０内部に流れる流体の圧力が小さくなった時、または流体がノズル２１０内部に再び流れない時、タービン発電機２４０は、ねじりバネ２６０に提供される弾力回復によって、つかみ部２３０内に（下へ）移動することができる。
【実施例３】
【００４２】
図３Ａ、図３Ｂと図３Ｃを参照下さい。本実施例の調整式流体駆動照明装置３００は、消火に応用することができ、主に、ノズル３１０、複数の発光素子３２０、つかみ部３３０、タービン発電機３４０、支持ロッド３５０、固定チューブ３６０、自転軸３７０、バネ３８０及びボタン３９０を含む。
【００４３】
ノズル３１０の片端部３１１は、流体供給パイプ（図に図示しない）に接続することができる。同様に、ノズル３１０は、消火ノズルである。
【００４４】
複数の発光素子３２０は、ノズル３１０に接続されている。詳しく言えば、複数の発光素子３２０は、ノズル３１０のもう一つの端部３１２に設置することができる。また、同様に、発光素子３２０は、高輝度のＬＥＤ、または電球などである。
【００４５】
つかみ部３３０は、ノズル３１０に接続されている。本実施例のつかみ部３３０は、ノズル３１０の片端部３１１と端部３１２との間に位置する。また、図３Ａ、図３Ｂに示されるように、つかみ部３３０は、仕切り板３３１を有する。
【００４６】
タービン発電機３４０は、複数の発光素子３２０に電気的に接続されている。且つ、タービン発電機３４０は、複数の回転ブレード３４１を有する。本実施例のタービン発電機３４０は、つかみ部３３０の仕切り板３３１の上に設置される。同様に、複数の回転ブレード３４１は、径方向ブレード、衝撃式ブレード、または軸流式ブレードである。
【００４７】
支持ロッド３５０は、つかみ部３３０の仕切り板３３１に穿通して設置され、且つ、支持ロッド３５０は、タービン発電機３４０に接続される。
【００４８】
固定チューブ３６０は、つかみ部３３０の仕切り板３３１の下に設置される。
【００４９】
自転軸３７０は、移動可能な状態で固定チューブ３６０に設置され、且つ、自転軸３７０は、支持ロッド３５０に隣接される。
【００５０】
バネ３８０は、支持ロッド３５０の上を穿通して設置され、且つ、バネ３８０は、つかみ部３３０の仕切り板３３１と自転軸３７０との間に接続される。
【００５１】
ボタン３９０は、自転軸３７０に接続され、タービン発電機３４０を駆動させ、これにより、タービン発電機３４０がノズル３１０とつかみ部３３０との間を移動させるのに用いられる。
【００５２】
続いては、調整式流体駆動照明装置３００で消火の作動方式を説明する。
【００５３】
まず、操作員、または消防員は、手にノズル３１０を握り、且つノズル３１０の流体出口（即ち、端部３１２）を火源、または火事現場に向け、ノズル３１０に流れる流体（例えば、水）を火源、または火事現場に向け噴出させる。
【００５４】
火事現場が暗くて照明が必要な時、操作員は、片手でボタン３９０を押すことができる。図３Ｂに示されるように、ボタン３９０の末端の鋸歯は、自転軸３７０の四枚の鋸歯と接し、且つ自転軸３７０を上へ押す。同時に、バネ３８０は圧縮される。支持ロッド３５０とタービン発電機３４０も上へ押される。ボタン３９０が一番上に押された時、鋸歯間の傾斜角度の関係で自転軸３７０の四枚の鋸歯は左方向に滑り落ち、且つ自転軸３７０の四枚の鋸歯は、固定チューブ３６０内側の鋸歯のスライドレールによって遮られる。固定チューブ３６０内側の鋸歯のスライドレールは、セパレート設計である。プレートと通路は互いに隔てられ、ボタン３９０が一回押されると、関連機構が上方に遮られる。上述のように、ボタン３９０を押すことによって、タービン発電機３４０は、ノズル３１０に（上へ）移動する。この時、タービン発電機３４０の回転ブレード３４１は、ノズル３１０内部に流れる流体（水）の衝撃を受け、回転されることによって、タービン発電機３４０に発電をさせ、電力を発生させる。同時に、タービン発電機３４０は、発電により発生された電力をノズル３１０の流体出口（端部３１２）上に位置する複数の発光素子３２０に伝送して、複数の発光素子３２０を発光させる。消防員は、消火と同時に火事現場の照明を兼ねることができ、消火の安全性と便利性を高めることができる。
【００５５】
一方、火事現場の光線が充分の時、または更に高い流体圧力、または流量で消火操作が必要な時、操作員は、片手で再度ボタン３９０を押すことができる。ここで、自転軸３７０は、通路を滑り落ち、タービン発電機３４０、支持ロッド３５０、自転軸３７０、及びボタン３９０がバネ３８０に提供される弾力回復によって、下へと原点に戻る。上述のように、図３Ａに示すように、ボタン３９０を再度押すことによって、タービン発電機３４０は、つかみ部３３０に（下へ）移動する。この時、タービン発電機３４０の回転ブレード３４１は、ノズル３１０内部に流れる流体（水）の衝撃を受けることがないため、回転ブレード３４１の回転が停止される。よって、タービン発電機３４０は、発電を停止する。ノズル３１０内部に流れる流体圧力は、タービン発電機３４０の妨害によって減らされることはなく、ノズル３１０の流体出口（端部３１２）から噴出する流体圧力、または流量を高め、さらに消火の効率を高めることができる。
【実施例４】
【００５６】
図４Ａと図４Ｂを参照下さい。本実施例の調整式流体駆動照明装置４００は、消火に応用することができ、主に、第一チューブ４１０、第二チューブ４２０、複数の発光素子４３０、タービン発電機４４０、及び密封リング４５０を含む。
【００５７】
第一チューブ４１０は、複数のプレート４１１を有する。本実施例の第一チューブ４１０の片端部４１２は、流体供給パイプ（図に図示しない）に接続することができる。
【００５８】
第二チューブ４２０は、回転可能な状態で第一チューブ４１０に接続されている。本実施例の第一チューブ４１０の流体の流動方向の中心軸と第二チューブ４２０の流体の流動方向の中心軸は、重ね合う。また、第一チューブ４１０と第二チューブ４２０は、スプリンクラーの構造を構成することができる。
【００５９】
複数の発光素子４３０は、第二チューブ４２０に接続されている。詳しく言えば、複数の発光素子４３０は、第二チューブ４２０の片端部４２１に設置することができる。同様に、発光素子４３０は、高輝度のＬＥＤ、または電球などである。
【００６０】
タービン発電機４４０は、第二チューブ４２０に設置され、且つタービン発電機４４０は、複数の発光素子４３０に電気的に接続されている。また、タービン発電機４４０は、複数の回転ブレード４４１を有する。複数の回転ブレード４４１は、第一チューブ４１０の複数のプレート４１１に隣接して設置され、且つ第一チューブ４１０の複数のプレート４１１に対応される。また、複数の回転ブレード４４１は、複数のプレート４１１によってそれぞれ選択的に遮蔽される。本実施例の複数の回転ブレード４４１は、軸流式ブレードである。
【００６１】
密封リング４５０は、第一チューブ４１０と第二チューブ４２０との間に設置され、第一チューブ４１０と第二チューブ４２０との間に流体密封機能を提供するのに用いられる。
【００６２】
続いては、調整式流体駆動照明装置４００で消火の作動方式を説明する。
【００６３】
まず、操作員、または消防員は、手に第一チューブ４１０、または第二チューブ４２０を握り、且つ第二チューブ４２０の流体出口（即ち、端部４２１）を火源、または火事現場に向け、第一チューブ４１０及び第二チューブ４２０に流れる流体（例えば、水）を火源、または火事現場に向け噴出させる。
【００６４】
火事現場が暗くて照明が必要な時、操作員は、第一チューブ４１０及び第二チューブ４２０に相対して回転させ、タービン発電機４４０の回転ブレード４４１を第一チューブ４１０のプレート４１１の外に露出させる。すなわち、回転ブレード４４１を図４Ｂに示す実線エリアに位置させる。この時、タービン発電機４４０の回転ブレード４４１は、第一チューブ４１０及び第二チューブ４２０内部に流れる流体（水）の衝撃を受け、回転されることによって、タービン発電機４４０を発電させ、電力を発生させる。同時に、タービン発電機４４０は、発電により発生された電力を第二チューブ４２０の流体出口（端部４２１）上に位置する複数の発光素子４３０に伝送して、複数の発光素子４３０を発光させる。消防員は、消火と同時に火事現場の照明を兼ねることができ、消火の安全性と便利性を高めることができる。
【００６５】
一方、火事現場の光線が充分の時、または更に高い流体圧力、または流量で消火操作が必要な時、操作員は、流体が第一チューブ４１０と第二チューブ４２０に流れる前に、または、第一チューブ４１０と第二チューブ４２０に流体の供給を停止させた後、第一チューブ４１０と第二チューブ４２０を相対して回転させ、タービン発電機４４０の回転ブレード４４１を第一チューブ４１０のプレート４１１により遮蔽させる。すなわち、回転ブレード４４１を図４Ｂに示す虚線（点線）エリアに位置させる。この時、タービン発電機４４０の回転ブレード４４１は、第一チューブ４１０と第二チューブ４２０内部に流れる流体（水）の衝撃を受けることがないため、回転ブレード４４１がプレート４１１の後方に静止される。よって、タービン発電機４４０は、発電せず、第一チューブ４１０と第二チューブ４２０内部に流れる流体圧力は、回転ブレード４４１の妨害によって減らされることはなく、第二チューブ４２０の流体出口（端部４２１）から噴出する流体圧力、または流量を高め、さらに消火の効率を高めることができる。
【００６６】
また、本実施例は、二つの回転ブレード４４１を有するタービン発電機４４０と二つのプレート４１１を有する第一チューブ４１０を例にあげ、説明したがこれを限定するものではない。さらに、具体的に言えば、実際の要求に基づいて、タービン発電機４４０は、複数の回転ブレード４４１を有することができ、及び第一チューブ４１０は、複数の対応プレート４１１を有することができる。例えば、図４Ｃに示されるように、三つの回転ブレード４４１を有するタービン発電機４４０と三つの対応プレート４１１を有する第一チューブ４１０である。
【００６７】
上述より、本発明の調整式流体駆動照明装置は、実際の要求に基づいて、タービン発電機をノズルの流体通路に移入、または移出し、または流体通路の流体を選択的にタービン発電機に衝撃させることができる。火事現場に照明が必要な時、且つ流体の供給圧力が充分な時、操作員は、移転機構によって、タービン発電機をノズルの流体通路に容易に移入し、または流体通路の流体をタービン発電機に衝撃させる。タービン発電機が流体の衝撃を受け、発電され、タービン発電機の発光素子に電気接続される。発光させて、火事現場を照らして、消火と救出に協力する。一方、火災が明るい戸外に発生された時（即ち、操作員は、余分な照明補助を必要としない）、単に、移転機構によって、タービン発電機をノズルの流体通路に容易に移出し、または流体通路の流体がタービン発電機を衝撃させずに、調整式流体駆動照明装置を従来の流体噴出の機能に戻し、流体圧力の消耗を影響しない。よって、本発明の調整式流体駆動照明装置は、操作員が予測できない火事現場で思うままに適当な照明と消火の流体源を取得して、個人と仲間の安全を確保し、且つ消火の効率を上げることができる。同時に、火事現場の被災者が光源を辿り、火事現場から脱出することができる。
【００６８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００６９】
【図１Ａ】本発明の実施例１の調整式流体駆動照明装置の平面図であって、一つの操作状態における平面図である。
【図１Ｂ】本発明の実施例１の調整式流体駆動照明装置の平面図であって、もう一つの操作状態における平面図である。
【図２Ａ】本発明の実施例２の調整式流体駆動照明装置の平面図であって、一つの操作状態における平面図である。
【図２Ｂ】本発明の実施例２の調整式流体駆動照明装置の平面図であって、もう一つの操作状態における平面図である。
【図３Ａ】本発明の実施例３の調整式流体駆動照明装置の平面図であって、一つの操作状態における平面図である。
【図３Ｂ】本発明の実施例３の調整式流体駆動照明装置の平面図であって、もう一つの操作状態における平面図である。
【図３Ｃ】本発明の実施例３の調整式流体駆動照明装置の一部の構造の立体分解図である。
【図４Ａ】本発明の実施例４の調整式流体駆動照明装置の平面図である。
【図４Ｂ】図４Ａに基づいた底面図。
【図４Ｃ】図４Ａに基づいたもう一つの底面図。
【符号の説明】
【００７０】
１００、２００、３００、４００…調整式流体駆動照明装置
１１０、２１０、３１０…ノズル
１１１、１１２、２１１、２１２、３１１、３１２、４１２、４２１…端部
１２０、２２０、３２０、４３０…発光素子
１３０、２３０、３３０…つかみ部
１３１…内ネジ部
１４０、２４０、３４０、４４０…タービン発電機
１４１、２４１、３４１、４４１…回転ブレード
１５０…リボルバー
１５１…外ネジ部
１６０…プッシュロッド
１７０…弾性素子
２５０…引き金
２６０…ねじりバネ
３３１…仕切り板
３５０…支持ロッド
３６０…固定チューブ
３７０…自転軸
３８０…バネ
３９０…ボタン
４１０…第一チューブ
４１１…プレート
４２０…第二チューブ
４５０…密封リング
【図１Ａ】
2010012221.tif 000003
【図１Ｂ】
2010012221.tif 000004
【図２Ａ】
2010012221.tif 000005
【図２Ｂ】
2010012221.tif 000006
【図３Ａ】
2010012221.tif 000007
【図３Ｂ】
2010012221.tif 000008
【図３Ｃ】
2010012221.tif 000009
【図４Ａ】
2010012221.tif 000010
【図４Ｂ】
2010012221.tif 000011
【図４Ｃ】
2010012221.tif 000012